(57)【特許請求の範囲】
【請求項１】
表紙、背表紙、裏表紙及び、背表紙端辺と裏表紙端辺に延接してファイル内側に折り返して成る綴じ足支持部を有し、該綴じ足支持部の表紙側一部に、綴じた用紙の縦方向上方への移動を抑制する切り出し部となるストッパーを切り起こし可能なミシン目を入れてあることを特徴とするフラットファイル。
【発明の詳細な説明】
【技術分野】
【０００１】  本発明は書類の抜き差しを簡単にする綴じ溝を設けた用紙を綴じるのに適したフラットファイルに関する。
【背景技術】
【０００２】  書類をファイルに綴じるには、書類に開けた綴じ穴にファイルに端部を固定された綴じ足の先端から挿通し、書類が抜けないように綴じ足の上端を何らかの方法で封止することで行われている。大量の書類を綴じる事を主眼とする厚手ファイルでは綴じ足は金属製又はプラスチック製の硬いパイプ状であり、嵩張らない事及び安価であることを主眼とするフラットファイルにおいては綴じ穴挿通後に折り曲げ易い断面が偏平なプラスチック製可撓性綴じ足が主として用いられている。しかしこれら書類の綴じ穴に綴じ足を先端から挿通することにより書類を綴じるファイル方式の共通する欠点は、途中枚数目で書類の抜き差しを行うためには、その上にある書類を一旦抜き、目的の書類を抜く、又は差すの作業を行った後、また一旦抜いた上の書類を元に戻す面倒な作業が必須であるということである。この問題を解決するためには、綴じ穴に綴じ足を挿通する方式から、綴じ穴に綴じ穴側用紙端辺に開放口を設け、綴じ足の先端から綴じ穴に挿通しないで済む綴じ溝を設けた用紙を用いる方式しか書類の抜き差し自由なファイルの達成はあり得ない。今までにもいくつもの綴じ溝による解決策が提案されてきた（特許文献１〜７）。【０００３】特許文献１：特許第４３３３８４９特許文献２：実開昭５４−１７１８２６特許文献３：特開平１１−１２９６１５特許文献４：実開昭５３−３４３２７特許文献５：特開２００７−７６３３８特許文献６：実登３０４０７２５特許文献７：特開昭５２−０３７１２２【０００４】  しかし、綴じ溝方式では特許文献７の第９図に示すように斜め右上方向に書類を移動させると書類は綴じ足から抜けてしまうという本質的問題点を有していた。これに対して特許文献５ではファイル背表紙上部に開閉式の縦方向書類移動防止部材を設けている。しかし、これらは明らかにファイルのコストアップとなる施策であり、かつフラットファイルのように背表紙幅が変化する様式には適用不可能である。
【発明の開示】
【発明が解決しようとする課題】
【０００５】  本発明が解決しようとしている課題は、書類の綴じ枚数によりファイルの厚みが変化するフラットファイルにおいて、書類の抜き差しを目的の書類の上にある書類を一旦ファイルから抜かなくても簡単に行えるようにするための溝付き綴じ穴を有する書類の縦方向移動を抑制する安価な手段を提供することにある。
【課題を解決するための手段】
【０００６】  課題解決手段は、表紙、背表紙、裏表紙及び、背表紙端辺と裏表紙端辺に延接してファイル内側に折り返して成る綴じ足支持部を有し、該綴じ足支持部の一部が綴じた書類の縦方向上方への移動を抑制する切り出し部となることを特徴とするフラットファイルとする。【０００７】  即ち、フラットファイルに用紙の縦方向への動きを止めるストッパーを設ける事である。フラットファイルは日本工業規格及び日本ファイル・バインダー協会（Ｆｉｌｅ  ＆  Ｂｉｎｄｅｒ  Ａｓｓｏｃｉａｔｉｏｎ  Ｊａｐａｎ）が定めたＦＢＡ規格に基づき、表裏表紙とファイル内側に折り返されて成る綴じ足支持部と、綴じ足支持部に装填された綴じ部材（綴じ足、綴じ足係止板、綴じ足屈曲具など）から成る。この綴じ足支持部上縁部に係止板に先端が十分届く長さで細長い折り曲げ可能なストッパーを設ける。ファイリング用紙を綴じた後、このストッパーを用紙上端部から覆い、ストッパー先端を用紙と係止板の間に挟むことでストッパー機能が働く。【０００８】  このストッパー機能の最も安価、かつ実用的な方法が綴じ足支持部の一部を用いて機能させることにある。即ちフラットファイルの綴じ足支持部はファイル台紙の２重構造になっており、用紙に接する側の綴じ足支持部を綴じ穴用穿孔近傍から上縁部まで長細く切り起こすことで用紙の縦方向移動ストッパー機能が発生する。 
【発明の効果】
【０００９】  本発明による書類の縦方向移動を抑制するストッパー付きフラットファイルに図３Ｇに示すような綴じ溝付き綴じ穴を設けた書類をファイルし、図１０のストッパー１１ａを引き起こし、図１２、図９の順に最上書類の上から綴じ足方向に折り曲げ、ストッパー先端を綴じ足綴じ具の下に差し込めば、溝付き綴じ穴を有する書類は縦方向への動きが制限され、上下左右どの方向にも飛び出す心配がなくなる。また、ストッパー１１ａを綴じ足綴じ具の綴じ足係止板７の下に差し込まなくても、表紙で押さえれば同様の効果を発揮することは言うまでもない。【００１０】  上記効果が従来のフラットファイルの綴じ足支持部に切り込みを入れるだけ、即ちコストアップもなく出来、綴じ溝付き綴じ穴ではない通常の書類でも全く問題なく使えるという優れものである。  
【発明を実施するための最良の形態】
【００１１】  図１は本発明によるフラットファイルに用いるのに適した綴じ溝付き綴じ穴を有する用紙を示す。綴じ溝ＭがＡ４用紙１の端辺２に沿って８０ミリメートル離れて２個設けられた様子を示す。図２は綴じ溝Ｍの詳細図である。綴じ溝Ｍは用紙端辺２に平行な第１の溝Ｍ１と、用紙端辺２に向けて大きく広がり開口されている第２の溝Ｍ２から成っており、連続する切り込み溝辺Ｌ２、Ｌ１、Ｌ５、Ｌ３、Ｌ４から囲まれて構成する。切り込み溝辺Ｌ２は用紙１の端辺２から垂直に伸び、切り込み溝辺Ｌ１とは直角に繋がる。第１の溝辺Ｌ１及び第３の溝辺Ｌ３は直径Ｄ１の円弧切り込みである第５の溝辺Ｌ５の端点Ｈ１、Ｈ２から用紙端辺２に平行に伸びており、切り込み溝辺Ｌ３と繋がる切り込み溝辺Ｌ４は溝の最狭幅Ｄ２が半円弧の直径Ｄ１を確保した上で用紙端辺２に対して４５度斜めになっている。用紙端辺２に平行な第１の溝辺Ｌ１の長さは半円弧直径Ｄ１の１／２である。第１の溝辺Ｌ１の長さは短すぎれば綴じ足は抜けやすく、長すぎれば抜き差しがワンアクションとならず、半円弧直径Ｄ１の１／２が最適である。尚図２で半丸穴内の斜線パーツ６は断面が偏平な綴じ足を示す。切り込み第２の溝辺Ｌ２は用紙端辺２に対して厳密な直角は必要としないが、切り込み第１の溝辺Ｌ１で綴じ足を支え、かつ開口部はなるべく広い事が必要であることから、直角である事が望ましい。切り込み第４の溝辺Ｌ４は、開口部を広くかつ書類の抜きと差しの両方で綴じ足のガイド効果を同じように発揮するためには１３５±５（用紙端辺２に対しては４５±５）度の範囲内で斜めであるべきである。以上の如く、綴じ溝Ｍは第１の溝Ｍ１と第２の溝Ｍ２の組み合わせであるが、第１の溝Ｍ１は大変短く、用紙の抜き差し動作上はワンアクションで可能となる所以である。【００１２】本実施例で用いる綴じ溝Ｍは、半円穴の直径Ｄ１は６ミリメートル、切り込み第１の溝辺Ｌ１は３ミリメートル、綴じ穴部としての半円弧端Ｈ２は用紙端辺２から１５．５ミリメートルである。また溝の最狭部Ｄ２は６ミリメートルとし、ファイルがフラットファイルのみならず、綴じ足が丸いパイプファイルでも対応可能になっている。本発明で用いる綴じ溝と、従来知られている綴じ溝との比較を以下に示す。綴じ溝のタイプは参考文献に使用されているもので図３に示す。尚、綴じ溝タイプＧが、本発明実施例に用いる綴じ溝である。【００１３】  図３Ｅに特許文献５の綴じ溝を示す。どんな断面形状の綴じ足にも対応しているが、所謂Ｌ字溝であり、用紙の抜き差し時の用紙の動かす方向がＬ字に沿って２方向となり、抜き差しがやっかいであるばかりか、繰り返し操作で綴じ溝を痛める恐れがあり、かつ綴じ溝開口部が狭いためブラインド操作は難しいなど、フラットファイル用綴じ溝構造には不適である。【００１４】  図３Ｆに特許文献６の綴じ溝を示す。写真用アルバム等の板紙専用の形状であり、直接の比較には不向きであるが、例えこの形状が書類に用いられる薄いファイリング用紙であったとしても書類の抜き差しは単純動作では済まないことは明らかである。何故なら本発明実施例に用いる綴じ溝のような用紙端辺に対して平行な第１の溝を持たないからである。【００１５】  綴じ溝タイプＧは本発明に用いる用紙の綴じ溝構造である。綴じ溝開口が極端に広く、斜め直線一方向の用紙移動により、抜き差しどちらもスムースに行え、目的の用紙の上下隙間がなくてもブラインドで抜き差しが行え、係止板で押さえつけられたように綴じられるフラットファイルではこの綴じ溝構造が最も優れている事が分かる。【００１６】  本発明綴じ溝Ｍを用紙に設けるパンチ刃をパンチ刃柱斜視図として図５に示す。（Ａ）、（Ｂ）はパンチ刃柱４を角度を変えて視た図であり同じもの、４ａは、刃断面である。図５は金属製パンチ刃柱４ａの平面図（断面図）であり、綴じ溝刃長さＤ４は、用紙１の綴じ溝長さＤ３より１ミリメートル長くなっており、他寸法は綴じ溝Ｍと同じである。【００１７】  図６は押し切り刃の付いたパンチ刃柱４を組み込んだパンチャー５を用紙を挟む台と反対方向から見た斜視図である。通常の２穴パンチャーとは組み込んだ刃柱形状が異なるだけである。【００１８】  上記説明から分かる通り、パンチャー５でＡ４用紙にパンチすれば、図１に示すような綴じ溝Ｍが開いた用紙１が出来上がることが分かる。【００１９】  図７はパンチャー５により綴じ溝Ｍが開けられた集積用紙（書類）１をフラットファイルに綴じた様子を示す斜視図である。２本の綴じ足６は綴じ溝Ｍの半円部を通り、綴じ足係止板材７の挿通孔を挿通し、綴じ足屈曲具８により直角に折り曲げ係止されている。【００２０】  図８は集積している用紙１の途中用紙１aを綴じ具部材６、７、８はそのままで、勿論１ａ用紙の上にある用紙もそのままで、用紙１ａを抜き差している様子を示す。用紙１ａを動かす方向は用紙１ａの上に白抜き矢印で示している。【００２１】  以上により、パンチャー５で綴じ溝Ｍが設けられた用紙１は、市販の２穴用フラットファイルで綴じる事が出来、かつ集積した書類の途中への書類の抜き差しが、その上にある書類を一旦抜かずに、勿論、綴じ足係止板７も綴じ足６から抜かずに行える事が分かる。これでフラットファイルにおいて、綴じた書類の中程にある書類でも、その上にある書類を一旦ファイルから抜かなくても抜くことが出来、逆に途中の枚数目に新たな書類をその上に有る書類を一旦抜かずに差し込み綴じることが出来ることが分かる。通常はこの状態で問題なく使えるが、綴じたファイルを逆さまにもち、振ったりすると、書類が抜け落ちる心配は残る。【００２２】  そこで図１０に示すごとく、フラットファイルの背表紙１０と裏表紙１２に繋がっている折り返し部である綴じ足支持部１１の上方位置にミシン目を入れた切りお越し書類ストッパー１１ａを設ける。ストッパー１１ａは折り筋１１ａａと３方ミシン目の入った長方形であり、折り返し部１１の上部から綴じ足穴１１ｂとの間に設けられる。必要に応じてこのミシン目３方を切り、ストッパー１１ａを折り筋１１ａａから切りお越す。書類ストッパー１１ａの折り筋１１ａａはＡ４書類を綴じた時の書類先端部にくるように合わせてある。    【００２３】  ストッパー１１ａ使用時は図１２に示すごとく、書類上端にストッパー１１ａを切り起こす。図９はストッパー１１ａを書類上端部に折り曲げ、先端を綴じ足係止板７の下に挟み込んだ様子を示す。勿論、挟み込まなくてもフラットファイル表紙９を書類の上に被せればよく、必須作業ではない。この事が出来るようにストッパー１１ａを長めにしておくと便利である。この状態でフラットファイル表紙９を閉じれば図１１のごとく、書類は上方向にフリーになっていた綴じ溝Ｍの欠点を完全に押さえ込む事が出来る。図１１ではストッパー１１ａが書類上端部でストッパー折り筋１１ａａで動きが抑えられている様子が分かる。【００２４】  以上のことから、本発明による新規綴じ溝パンチャー５により開けられた綴じ溝Ｍは、従来のフラットファイルでも、書類の抜き差しが目的の書類の上にある書類をいちいち抜かなくても出来るようになるが、書類ストッパー付きファイルは、書類の上への動きを抑制する仕掛けを有し、更に便利であることが分かる。尚、書類ストッパーはファイルの折り返し部１１の一部をミシン目で切り起こす方式としたが、同様の別部材ストッパーを同じ位置に貼り付けても良いし、折り返し部１１を更に延伸しても同様に使える事は容易に推測出来る。この書類ストッパーの更なる効果としては、途中枚数目から書類の抜き差しを行うとき、このストッパを差し込んでおくと、その下の書類の動きが抑制されているので、抜き差し操作が楽になることが分かった。
【図面の簡単な説明】
【００２５】
【図１】本発明フラットファイルに用いられる綴じ溝付きＡ４用紙
【図２】上記綴じ溝拡大図
【図３】各種綴じ溝比較図
【図４】上記綴じ溝とＬ字綴じ溝比較
【図５】押し切り刃柱斜視図（Ａ，Ｂ２方向から）
【図６】綴じ溝パンチ外観
【図７】綴じ溝付き用紙がフラットファイルに綴じられている斜視図
【図８】綴じられている用紙の途中用紙をその上の用紙をそのままで抜き差しし          ている様子
【図９】書類ストッパー１１ａを使用している様子
【図１０】ミシン目で切り離されていない書類ストッパー１１ａ付きファイル
【図１１】図９で、ファイル表紙９を閉じた状態。書類ストッパー側からの斜視図
【図１２】ストッパー１１ａを起立させた斜視図（ストッパー折り曲げ前）
【符号の説明】
【００２６】１      用紙（書類）２      用紙端辺４      パンチ刃柱４ａ    パンチ刃断面５      パンチャー      ６      綴じ足７      綴じ足係止板８      綴じ足屈曲具９      ファイル表表紙１０    ファイル背表紙１１    綴じ足支持部１１ａ  書類ストッパー１１ａａ書類ストッパー折り筋１１ｂ  綴じ足穴１２    ファイル裏表紙Ｈ      半丸穴              Ｈ１、Ｈ２      半丸穴円弧端Ｌ１〜Ｌ５  切り込み溝辺      Ｍ      綴じ溝              Ｍ１    第１の溝              Ｍ２    第２の溝
【要約】
【課題】
フラットファイルにおいて、書類の抜き差しが、その上にある書類を一旦抜かずに行えるようにする。
【解決手段】
綴じ足支持部材、同綴じ足支持部材に垂直に取り付けられた可撓性綴じ足、同綴じ足が貫通する貫通孔を備えた綴じ足係止板、同綴じ足係止版の前記貫通孔を貫通して突出した綴じ足を折り曲げる綴じ足屈曲具とからなるフラットファイルで綴じられるファイリング用紙であって、用紙端辺近傍に同端辺と平行して延びる第１の溝と、第一の溝の用紙端辺に近い側の直線状の第１の溝辺の先端に９０度以上１００度以内の角度で繋がって前記用紙端辺まで伸びた第２の溝辺と、前記第１の溝の前記用紙端辺から遠い側の直線状の第３の溝辺の先端から、用紙端辺に対して４５±５度の角度で前記用紙端辺まで斜めに伸びた直線状の第４の溝辺とからなる第２の溝とからなる切り欠き綴じ溝が設けられた事を特徴とするファイリング用紙とする。
【選択図】  図２【図１】
0005837707.tif 000002
【図２】
0005837707.tif 000003
【図３】
0005837707.tif 000004
【図４】
0005837707.tif 000005
【図５】
0005837707.tif 000006
【図６】
0005837707.tif 000007
【図７】
0005837707.tif 000008
【図８】
0005837707.tif 000009
【図９】
0005837707.tif 000010
【図１０】
0005837707.tif 000011
【図１１】
0005837707.tif 000012
【図１２】
0005837707.tif 000013